(57)【要約】  電動工具用のバッテリパックは、ハウジングと、少なくとも一つのバッテリと、コネクタ部と、第１アンテナと、第１通信回路とを備える。ハウジングは電動工具本体に着脱可能に装着される。ハウジングはさらに、第１壁部と、第１壁部と対向する第２壁部と、第１壁部の周縁と第２壁部の周縁とを連結する第３壁部とを含む。バッテリは、第１壁部、第２壁部および第３壁部によって囲まれたハウジングの内部空間に位置する。コネクタ部は、バッテリに対して第１壁部側に位置しており、電動工具本体にバッテリからの電力を供給する。第１通信回路は第１アンテナを用いて通信を行う。第１アンテナは、第１壁部、第３壁部、または、内部空間のうちバッテリと第２壁部との間の領域以外の領域に位置する。
2020174673.tif 000002
【特許請求の範囲】
【請求項１】
電動工具用のバッテリパックであって、
電動工具本体に着脱可能に装着されるハウジングと、
前記ハウジングはさらに、
第１壁部と、
前記第１壁部と対向する第２壁部と、
前記第１壁部の周縁と前記第２壁部の周縁とを連結する第３壁部と
を含み、
前記第１壁部、前記第２壁部および前記第３壁部によって囲まれた前記ハウジングの内部空間に位置する少なくとも一つ以上のバッテリと、
前記バッテリに対して前記第１壁部側に位置しており、前記電動工具本体に前記バッテリからの電力を供給するコネクタ部と、
第１アンテナと、
前記第１アンテナを用いて通信を行う第１通信回路と、
を備え、
前記第１アンテナは、前記第１壁部、前記第３壁部、または、前記内部空間のうち前記バッテリと前記第２壁部との間の領域以外の領域に位置する、電動工具用のバッテリパック。
【請求項２】
請求項１に記載の電動工具用のバッテリパックであって、
前記第１壁部の前記周縁は多角形状を有しており、
前記第３壁部は、前記第１壁部の前記周縁に連結される複数の部分壁部を含み、
前記第１アンテナは、前記第１壁部と前記第３壁部との連結部、または、前記複数の部分壁部のうち隣り合う二者同士の連結部に位置している、電動工具用のバッテリパック。
【請求項３】
請求項１または請求項２に記載の電動工具用のバッテリパックであって、
前記第１通信回路は、前記電動工具本体とは異なる外部機器と通信し、
前記第１アンテナは、前記第３壁部、または、前記バッテリと前記第３壁部との間に位置する、電動工具用のバッテリパック。
【請求項４】
請求項１から請求項３のいずれか一つに記載の電動工具用のバッテリパックであって、
前記第１通信回路が通信可能か否かを外部に報知する第１報知部をさらに備える、電動工具用のバッテリパック。
【請求項５】
請求項１から請求項４のいずれか一つに記載の電動工具用のバッテリパックであって、
前記第１壁部、前記第２壁部、前記第３壁部、または、前記内部空間に位置する第２アンテナと、
前記第２アンテナを用いて、前記電動工具本体と通信する第２通信回路と
をさらに備える、電動工具用のバッテリパック。
【請求項６】
請求項５に記載の電動工具用のバッテリパックであって、
前記第１壁部の前記周縁は多角形状を有しており、
前記第３壁部は、前記第１壁部の前記周縁に連結された複数の部分壁部を含み、
前記第１アンテナは、前記第１壁部および前記複数の部分壁部のいずれかの壁部に位置しており、
前記第２アンテナは、前記第１壁部および前記複数の部分壁部のうち、前記第１アンテナが位置する前記壁部とは異なる壁部に位置する、電動工具用のバッテリパック。
【請求項７】
請求項５または請求項６に記載の電動工具用のバッテリパックであって、
前記第２アンテナは、前記第１壁部、または、前記第１壁部と前記バッテリとの間に位置する、電動工具用のバッテリパック。
【請求項８】
請求項５から請求項７のいずれか一つに記載の電動工具用のバッテリパックであって、
前記第１通信回路は第１通信方式にて通信し、
前記第２通信回路は前記第１通信方式とは異なる第２通信方式にて通信する、電動工具用のバッテリパック。
【請求項９】
請求項５から請求項８のいずれか一つに記載の電動工具用のバッテリパックであって、
前記第２アンテナはコイルを含む、電動工具用のバッテリパック。
【請求項１０】
請求項５から請求項９のいずれか一つに記載の電動工具用のバッテリパックであって、
前記第２通信回路が通信可能か否かを外部に報知する第２報知部をさらに備える、電動工具用のバッテリパック。
【請求項１１】
請求項５から請求項１０のいずれか１つに記載の電動工具用のバッテリパックであって、
前記第２通信回路は、前記電動工具本体を識別する識別データを前記電動工具本体から受信し、
前記バッテリパックは、
前記バッテリを流れる電流と、前記識別データに応じた電流の閾値とを比較することで得られる前記電動工具本体の状態を示す状態データを、前記第１通信回路に出力する制御回路をさらに備える、電動工具用のバッテリパック。
【請求項１２】
請求項１１に記載の電動工具用のバッテリパックであって、
前記状態データは、前記電動工具本体の駆動回数に関する情報である、電動工具用のバッテリパック。
【請求項１３】
請求項１２に記載の電動工具用のバッテリパックであって、
前記制御回路は、前記電動工具本体が駆動する累積駆動時間が所定の閾値を超えたと判断したときに、その旨を示す信号を前記第１通信回路に出力する、電動工具用のバッテリパック。
【請求項１４】
請求項５から請求項１３のいずれか一つに記載の電動工具用のバッテリパックと、
前記電動工具本体と
を備え、
前記電動工具本体は、
前記第２通信回路と通信する第３通信回路と、
前記第２通信回路と前記第３通信回路との間の通信が可能か否かを外部に報知する第３報知部をさらに備える、電動工具。
【請求項１５】
請求項１から請求項１３のいずれか一つに記載の電動工具用のバッテリパックと、
前記電動工具本体と
を備える、電動工具。
【発明の詳細な説明】
【技術分野】
【０００１】
本開示は、電動工具用のバッテリパックおよび電動工具に関する。
【背景技術】
【０００２】
例えば特許文献１では、電動工具本体に装着されるバッテリパックにアンテナが内蔵されている。
【先行技術文献】
【特許文献】
【０００３】
【特許文献１】特開２００８−２１３０６９号公報
【発明の概要】
【発明が解決しようとする課題】
【０００４】
しかしながら、特許文献１では、通信の信頼性を向上するための、バッテリパックに対するアンテナの位置については、なんら考慮されていない。【０００５】
そこで、本開示は、通信の信頼性が高い電動工具用のバッテリパックを提供することを提案する。
【課題を解決するための手段】
【０００６】
電動工具用のバッテリパックおよび電動工具が開示される。一実施の形態においては、電動工具用のバッテリパックは、ハウジングと、少なくとも一つのバッテリと、コネクタ部と、第１アンテナと、第１通信回路とを備える。ハウジングは電動工具本体に着脱可能に装着される。ハウジングはさらに、第１壁部と、第１壁部と対向する第２壁部と、第１壁部の周縁と第２壁部の周縁とを連結する第３壁部とを含む。バッテリは、第１壁部、第２壁部および第３壁部によって囲まれたハウジングの内部空間に位置する。コネクタ部は、バッテリに対して第１壁部側に位置しており、電動工具本体にバッテリからの電力を供給する。第１通信回路は第１アンテナを用いて通信を行う。第１アンテナは、第１壁部、第３壁部、または、内部空間のうちバッテリと第２壁部との間の領域以外の領域に位置する。【０００７】
一実施の形態においては、電動工具は上記バッテリパックと上記電動工具本体とを備える。
【発明の効果】
【０００８】
通信の信頼性を向上できる。
【図面の簡単な説明】
【０００９】
【図１】バッテリパックの外観の一例を概略的に示す斜視図である。
【図２】バッテリパックの構成の一例を概略的に示す分解斜視図である。
【図３】電動工具の一部の構成の一例を概略的に示す側面図である。
【図４】バッテリパックの構成の一例を概略的に示す断面図である。
【図５】バッテリパックの電気的な構成の一例を示す機能ブロック図である。
【図６】通信基板の外形の一例を概略的に示す図である。
【図７】バッテリパックの電気的な構成の一例を示す機能ブロック図である。
【図８】電動工具の電気的な構成の一例を示す機能ブロック図である。
【図９】バッテリパックの外観の一例を概略的に示す斜視図である。
【図１０】電動工具の動作の一例を示すフローチャートである。
【図１１】電動工具の電気的な構成の一例を示す機能ブロック図である。
【発明を実施するための形態】
【００１０】
第１の実施の形態．
図１は、バッテリパック１の外観の一例を概略的に示す斜視図であり、図２は、バッテリパック１の構成の一例を概略的に示す分解斜視図である。なお以下では、バッテリパック１の構成を説明するために、上下方向、左右方向および前後方向を導入する。これらの方向はバッテリパック１に対して設定される。よって、例えば「上」は必ずしも鉛直上側を示すものではない。
【００１１】
バッテリパック１は電動工具用のバッテリパックである。バッテリパック１は不図示の充電器に着脱可能に装着され得る。このバッテリパック１は、当該充電器に装着されることによって充電される。
【００１２】
図３は、電動工具１００の構成の一例を概略的に示す側面図である。バッテリパック１は電動工具本体８に着脱可能に装着される。電動工具本体８にバッテリパック１が装着されることにより、これらが電動工具１００として機能する。図３の例では、電動工具１００は電動ドライバである。なお、電動工具１００は電動ドリルまたは電動丸ノコなどの他の電動工具であってもよい。
【００１３】
電動工具本体８はバッテリ取付面８ａを有している。ユーザはバッテリパック１を電動工具本体８に対して前方にスライドさせることにより、バッテリパック１を電動工具本体８に装着することができる。またユーザはバッテリパック１を電動工具本体８に対して後方にスライドさせることにより、バッテリパック１を電動工具本体８から取り外すことができる。
【００１４】
図１および図２に示すように、バッテリパック１はハウジング２とバッテリ３と端子部４とアンテナ５１とを含んでいる。
【００１５】
ハウジング２は内部空間を形成しており、その内部空間においてバッテリ３および端子部４を収納する。図１および図２に例示するように、ハウジング２は上部材２１と下部材２２とを含んでいてもよい。上部材２１は下方に開口する箱状の形状を有しており、下部材２２は上方に開口する箱状の形状を有している。上部材２１および下部材２２は、各々の開口部が繋がって内部空間を形成するように、互いに結合可能である。このように上部材２１および下部材２２が互いに結合することで、ハウジング２が構成される。
【００１６】
以下では、ハウジング２の上壁部を上壁部２ａと呼び、ハウジング２の下壁部を下壁部２ｃと呼び、ハウジング２の側壁部を側壁部２ｂと呼ぶ。上壁部２ａは上下方向において下壁部２ｃと対向する。下壁部２ｃは略板状の形状を有しており、その厚み方向が上下方向に略一致する。側壁部２ｂは上壁部２ａの周縁と下壁部２ｃの周縁とを連結する。図１に例示するように、ハウジング２は略直方体の外形形状を有していてもよい。この場合、上壁部２ａおよび下壁部２ｃは平面視において略矩形状の形状を有する。ハウジング２の内部空間は上壁部２ａ、側壁部２ｂおよび下壁部２ｃによって形成される。
【００１７】
ハウジング２の上壁部２ａは、バッテリパック１が電動工具本体８に装着された状態で、電動工具本体８のバッテリ取付面８ａと対面する。この上壁部２ａは、後に詳述するように、電動工具本体８に電気的に接続するためのコネクタ部４０を含んでいる。また、図１に例示するように、上壁部２ａは、電動工具本体８に着脱可能に装着するための係止部７０を含んでいてもよい。ユーザは上壁部２ａをバッテリ取付面８ａに対面させた上で、バッテリパック１を前方にスライドさせることにより、バッテリパック１を電動工具本体８に装着させることができる。この装着状態において、コネクタ部４０は電動工具本体８のコネクタ部（不図示）に電気的に接続され、係止部７０は電動工具本体８の係止部（不図示）に係止される。
【００１８】
バッテリ３はハウジング２の内側に位置している。つまり、バッテリ３は、上壁部２ａ、側壁部２ｂおよび下壁部２ｃによって囲まれるハウジング２の内部空間に位置している。このバッテリ３は、図２に例示するように、複数のバッテリセル３１と導体３２とセル保持部３３とを含んでいてもよい。バッテリセル３１は、電力を蓄えることができる二次電池セルである。例えばバッテリセル３１として、リチウムイオン電池セルを採用することができる。図２の例では、バッテリセル３１は略円柱形状を有しており、その長手方向の一端および他端にそれぞれ電極を有している。各電極はそれぞれ正極および負極の電極として機能する。図２の例では、複数のバッテリセル３１は、その長手方向が左右方向に沿うように配置される。また図２の例では、５つのバッテリセル３１が前後方向に沿って並んでおり、その５つのバッテリセル３１を有する組の２つが上下方向に沿って並んでいる。よって、左右方向に沿って見れば、バッテリセル３１は５行２列のマトリクス状に配列されている。
【００１９】
セル保持部３３は複数のバッテリセル３１を上記の配列姿勢で保持する。セル保持部３３は絶縁部材（例えば樹脂）で形成される。セル保持部３３はバッテリセル３１と一体で成型されてもよい。なお、バッテリセル３１の個数および配列は適宜に変更され得る。
【００２０】
複数の導体３２は複数のバッテリセル３１を相互に電気的に接続する。各導体３２は板状の形状を有しており、例えば金属によって形成される。各導体３２は複数のバッテリセル３１の電極同士を接続する。導体３２はバッテリセル３１を例えば相互に直列に接続させることができる。その直列接続体の両側の電極と接続する一対の導体３２には、それぞれ電極３２１が形成されている。一方の電極３２１は正極の電極として機能し、他方の電極３２１は負極の電極として機能する。なお図２の例では、端子部４によって一つの電極３２１が隠れており、図示されていない。複数の導体３２は例えばセル保持部３３に固定され得る。
【００２１】
コネクタ部４０は、バッテリ３に対して上壁部２ａ側に位置している。コネクタ部４０は端子部４を含んでおり、図２に例示するように、端子部４はハウジング２の内側に位置している。端子部４はハウジング２の上壁部２ａとバッテリ３との間に位置している。図２の例では、端子部４はバッテリ３の上側において前方寄りに位置している。
【００２２】
端子部４は複数の接続端子４１と端子保持部４２とを含んでいる。複数の接続端子４１は、バッテリパック１が電動工具本体８に装着された状態で、電動工具本体８に設けられたコネクタ部の接続端子（不図示）と接触する。これにより、バッテリパック１と電動工具本体８とが電気的に接続される。コネクタ部４０はバッテリ３からの電力を電動工具本体８に供給する。図２の例では、５つの接続端子４１が左右方向に並んでおり、その５つの接続端子４１を有する組の２つが上下方向に並んでいる。よって、前後方向に沿ってみれば、接続端子４１は５行２列のマトリクス状に配列される。各接続端子４１は前後方向に沿って延在する。なお接続端子４１の個数および配列は適宜に変更される。
【００２３】
端子保持部４２は複数の接続端子４１の基端部（図２では後方部）を保持する。端子保持部４２は絶縁部材（例えば樹脂）で形成される。端子保持部４２は接続端子４１と一体で成型されてもよい。端子保持部４２は例えばセル保持部３３に固定され得る。
【００２４】
複数の接続端子４１のうち２つは、配線（不図示）を介して、バッテリ３の正極の電極３２１および負極の電極３２１にそれぞれ接続される。よって、これら２つの接続端子４１は電源用の接続端子として機能する。
【００２５】
図２の例では、ハウジング２の上壁部２ａは、端子部４を含む丘形状の領域を有している。具体的には、ハウジング２の上壁部２ａはベース部２１ａと高台部２２ａとを有している。高台部２２ａはベース部２１ａよりも上側に突出している。高台部２２ａは、ベース部２１ａと段差を形成している。端子部４は高台部２２ａの内側に位置している。つまり、端子部４は上下方向において高台部２２ａと対面しつつ、前後方向においても高台部２２ａと対面する。図２に例示するように、ハウジング２の高台部２２ａの前方部分には、端子部４の接続端子４１に繋がるスリットＨ１が形成されている。
【００２６】
ハウジング２の高台部２２ａおよび端子部４はコネクタ部４０を構成する。バッテリパック１が電動工具本体８に装着された状態で、電動工具本体８に設けられたコネクタ部の接続端子はスリットＨ１を貫通して接続端子４１と接触する。これにより、接続端子４１を介してバッテリ３の電力を電動工具本体８へと供給することができる。
【００２７】
なお上述の例では、コネクタ部４０はいわゆる雌型のコネクタであるものの、雄型のコネクタであってもよい。
【００２８】
図１および図２の例では、ハウジング２の上壁部２ａには、電動工具本体８と装着するための係止部７０が形成されている。係止部７０は、図１および図２に例示するように、係止突部２１１および一対のスライドレール２１２を含んでいてもよい。一対のスライドレール２１２は高台部２２ａの左右方向の両側からそれぞれ外側に突出する。このスライドレール２１２は前後方向に沿って延在しており、電動工具本体８に設けられた凹部（不図示）に嵌まる。これにより、バッテリパック１が電動工具本体８に対して上下方向で位置決めされる。ユーザはスライドレール２１２に沿ってバッテリパック１を電動工具本体８に対して移動させることができる。係止突部２１１はハウジング２の上面から上側に突出している。係止突部２１１は上下方向に移動可能に構成されており、また上側に押圧されている。係止突部２１１は装着時に電動工具本体の係止部によって一旦は押し下げられる。そして、バッテリパック１が電動工具本体８に対して装着位置までスライドされることにより、係止突部２１１が上側に移動して電動工具本体８の係止部に係止する。この係止により、バッテリパック１が電動工具本体８に装着される。
【００２９】
アンテナ５１は、バッテリパック１の外部の通信機器と無線通信するためのアンテナである。アンテナ５１としては、例えば所定のパターン形状を有する金属板（例えばアルミニウム箔）を採用することができる。
【００３０】
アンテナ５１は、上壁部２ａ、側壁部２ｂ、または、ハウジング２の内部空間のうちバッテリ３（あるいはバッテリセル３１）と下壁部２ｃとの間の領域以外の領域に位置する。以下では、バッテリ３と下壁部２ｃとの間の領域を非設置領域とも呼ぶ。図２の例では、非設置領域を模式的に示すべく、破線が示されている。より具体的な一例として、アンテナ５１は、ハウジング２のうち下壁部２ｃ以外の部分に位置している。図２の例では、アンテナ５１はハウジング２の側壁部２ｂに位置している。アンテナ５１は側壁部２ｂの外周面の上に位置していてもよい。この場合、絶縁性の保護部材がアンテナ５１を覆っていてもよい。これにより、アンテナ５１を外部から保護することができる。あるいは、アンテナ５１は側壁部２ｂの内部に埋め込まれていてもよい。
【００３１】
若しくは、アンテナ５１はハウジング２の上壁部２ａに位置していてもよい。つまり、アンテナ５１は上壁部２ａの外周面の上に位置してもよいし、上壁部２ａの内部に埋め込まれていてもよい。アンテナ５１が上壁部２ａの上に位置している場合には、絶縁性の保護部材がアンテナ５１を覆っていてもよい。
【００３２】
若しくは、アンテナ５１は非設置領域以外の領域において、ハウジング２の内部空間に位置していてもよい。図４は、バッテリパック１の他の構成の一例を模式的に示す断面図である。図４では、左右方向に沿って見たバッテリパック１の断面が模式的に示されている。なお図４では、端子部４の図示を省略している。図４に例示するように、アンテナ５１はハウジング２の側壁部２ｂとバッテリ３との間の領域Ｒ１内に位置していてもよい。アンテナ５１は、図４に例示するように、側壁部２ｂから離れて位置していてもよいし、側壁部２ｂの内周面の上に位置していてもよい。
【００３３】
あるいは、アンテナ５１はハウジング２の上壁部２ａとバッテリ３との間の領域Ｒ２内に位置していてもよい。具体的には、アンテナ５１は上壁部２ａの内周面の上に位置していてもよいし、上壁部２ａから離れて位置していてもよい。
【００３４】
図５は、バッテリパック１の電気的な構成の一例を概略的に示す機能ブロック図である。アンテナ５１は信号処理回路５２に電気的に接続される。アンテナ５１および信号処理回路５２は通信回路５０に含まれる。この通信回路５０は所定の通信基板５に実装されていてもよい。
【００３５】
図６は、通信基板５の外観の一例を概略的に示す斜視図である。通信基板５は、例えば矩形の基板であって、一対の主面５００および側面５１０を有する。通信回路５０を構成する少なくとも一つの部品は、一対の主面５００の一方に搭載される。なお、通信基板５の外形は矩形以外であってもよい。
【００３６】
通信回路５０は、少なくとも１種類の無線通信規格に準拠して、アンテナ５１を用いてバッテリパック１の外部の通信機器と無線通信することが可能である。以下では、バッテリパック１の外部の通信機器を外部機器と呼ぶことがある。外部機器は、例えば管理センター等に設けられてもよい。
【００３７】
通信回路５０が準拠する無線通信規格には、例えばＷｉＦｉ（Wireless Fidelity）等の、無線ＬＡＮ（Local Area Network）に対応する規格が含まれていてもよい。例えば、通信回路５０が準拠する無線通信規格には、Ｂｌｕｅｔｏｏｔｈ（登録商標）が含まれてもよいし、ＺｉｇＢｅｅ（登録商標）が含まれてもよいし、ＮＦＣ（Near Field Communication）が含まれてもよい。また、通信回路５０が準拠する無線通信規格には、ＬＰＷＡ（Low Power Wide Area Network）に対応する規格が含まれてもよい。例えば、通信回路５０が準拠する無線通信規格には、ＳＩＧＦＯＸ（登録商標）が含まれてもよいし、ＬｏＲａ（登録商標）ＷＡＮ（Wide Area Network）が含まれてもよいし、ＮＢ−ＩｏＴ（Narrow Band Internet of Things）が含まれてもよい。
【００３８】
信号処理回路５２は、以下にさらに詳細に述べられるように、種々の機能を実行するための制御および処理能力を提供するために、少なくとも一つのプロセッサを含む。
【００３９】
種々の実施形態によれば、少なくとも１つのプロセッサは、単一の集積回路（ＩＣ）として、または複数の通信可能に接続された集積回路ＩＣおよび／またはディスクリート回路（discrete circuits）として実行されてもよい。少なくとも１つのプロセッサは、種々の既知の技術に従って実行されることが可能である。
【００４０】
１つの実施形態において、プロセッサは、例えば、関連するメモリに記憶された指示を実行することによって１以上のデータ計算手続または処理を実行するように構成された１以上の回路またはユニットを含む。他の実施形態において、プロセッサは、１以上のデータ計算手続きまたは処理を実行するように構成されたファームウェア（例えば、ディスクリートロジックコンポーネント）であってもよい。
【００４１】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイス若しくは構成の任意の組み合わせ、または他の既知のデバイスおよび構成の組み合わせを含み、以下に説明される機能を実行してもよい。
【００４２】
なお、信号処理回路５２の全ての機能あるいは信号処理回路５２の一部の機能は、その機能の実現にソフトウェアが不要なハードウェア回路によって実現されてもよい。
【００４３】
信号処理回路５２は、アンテナ５１で受信された受信信号に対して増幅処理等の各種処理を行い、当該受信信号からデータを取得する。また、信号処理回路５２は、送信データを含む送信信号に対して増幅処理等の各種処理を行って、処理後の送信信号をアンテナ５１から無線送信する。
【００４４】
通信回路５０はバッテリ３から給電されて動作する。なお、図５では図示を省略しているものの、バッテリ３からの電圧を所定の電圧に変換する電源回路が設けられてもよい。
【００４５】
通信回路５０が外部機器に送信する送信データには、バッテリパック１を識別する識別データ（例えば製造番号および/またはバッテリの固有ＩＤおよび/またはバッテリの種類を示す識別ＩＤ）が含まれてもよい。この識別データは予め設定されて記録媒体に記録されていてもよい。また、送信データには、バッテリ３の電池残量を示すバッテリ残量データが含まれてもよい。電池残量は、バッテリ３を流れる電流に基づいて推定することができるので、電流センサがバッテリパック１に設けられてもよい。そして、信号処理回路５２が当該電流に基づいて電池残量を推定してもよい。また、バッテリパック１が、温度を検出することが可能な温度センサを含む場合には、送信データには、温度センサによって検出された温度を示す温度データが含まれてもよい。また、バッテリパック１が位置を特定することができる場合には、送信データには、バッテリパック１の位置を示す位置データが含まれてもよい。この場合、バッテリパック１は、例えば、ＧＰＳ（Global Positioning System）の測位衛星からの信号に基づいてバッテリパック１の位置データを取得するＧＰＳ受信回路を含んでいてもよい。ＧＰＳ受信回路は、通信回路５０に含まれてもよい。また、バッテリパック１は、ＧＰＳ受信回路に加えて、あるいはその替わりに、ＧＰＳ以外のＧＮＳＳ（Global Navigation Satellite System）の測位衛星からの信号に基づいてバッテリパック１の位置を取得する回路を含んでもよい。当該回路は通信回路５０に含まれてもよい。ＧＰＳ以外のＧＮＳＳとしては、例えば、ＧＬＯＮＡＳＳ（Global Navigation Satellite System），ＩＲＮＳＳ（Indian Regional Navigational Satellite System），ＣＯＭＰＡＳＳ，Ｇａｌｉｌｅｏあるいは準天頂衛星システム（ＱＺＳＳ：Quasi-Zenith Satellites System）が考えられる。
【００４６】
外部機器は、例えば、複数のバッテリパック１からの送信データを受信し、受信した送信データに基づいて、当該複数のバッテリパック１を管理することが可能である。例えば送信データに位置データが含まれる場合、外部機器がバッテリパック１の位置を管理することが可能である。そのため、作業者は外部機器からの情報に基づいて、そのバッテリパック１が載置された位置を特定できる。また、バッテリパック１が盗難されたとしても、そのバッテリパック１を追跡することができる。
【００４７】
なお、通信回路５０が送信する送信データに含まれるデータは上記の例に限られない。また通信回路５０は、受信機能および送信機能のうち省電力のために送信機能だけを有していてもよい。
【００４８】
またバッテリパック１には、制御回路６０が設けられていてもよい。図７は、バッテリパック１の電気的な構成の他の一例を示す機能ブロック図である。制御回路６０は通信回路５０に電気的に接続される。制御回路６０は例えば通信基板５とは別の制御基板６に形成されてもよい。この制御基板６上には、電源回路６１も形成され得る。電源回路６１には、バッテリ３から直流電圧が入力される。電源回路６１はこの直流電圧を所定の直流電圧に変換して、変換後の直流電圧を制御回路６０に出力する。電源回路６１は例えばＤＣＤＣコンバータである。制御回路６０は当該直流電圧に基づいて動作する。
【００４９】
制御回路６０は種々の機能を実行するための少なくとも一つのプロセッサを含む。信号処理回路５２が備える少なくとも一つのプロセッサについての上記の説明は、制御回路６０が備える少なくとも一つのプロセッサについても適用することができる。
【００５０】
図７の例では、制御基板６には、メモリ６２が搭載されている。メモリ６２には、バッテリパック１が収集した各種情報が記憶される。例えばバッテリ３の電流を検出する電流センサがバッテリパック１に設けられる場合、その電流値が制御回路６０によってメモリ６２に記憶され得る。図７の例では、メモリ６２は制御基板６に搭載されているものの、通信基板５に搭載されてもよく、これらとは別の位置に搭載されてもよい。
【００５１】
通信回路５０が外部機器に送信する送信データは、制御回路６０が生成してもよいし、通信回路５０の信号処理回路５２が生成してもよいし、制御回路６０および信号処理回路５２が協働して生成してもよい。また上述した各種センサおよび位置取得用の回路は制御回路６０に接続されてもよい。
【００５２】
ところで、このバッテリパック１は、電動工具本体８から取り外された上で、次に説明するように所定の載置面に載置され得る。すなわち、バッテリパック１は、通常、その下壁部２ｃが当該載置面と向かい合う姿勢で、当該載置面に載置される。当該載置面は、例えば、バッテリパック１を保管するための保管部（例えば棚）の底面である。この保管部は例えば工場内に配置されており、充電済みの複数のバッテリパック１を収納している。ユーザはその保管部からバッテリパック１を取り出して電動工具本体８に装着させ、電動工具１００を用いて作業を開始する。
【００５３】
バッテリパック１は、電動工具本体８から取り外されて載置面の上に載置された状態でも、外部機器と無線通信することが可能である。よって、この状態でも通信の信頼性は高いことが望ましい。
【００５４】
比較のために、本実施の形態とは異なり、アンテナ５１が非設置領域に位置するバッテリパックについて考察する。このバッテリパックにおいては、アンテナ５１がバッテリ３と載置面との間に位置する。バッテリ３および載置面は無線通信において障害物となり得るので、通信の信頼性が低下し得る。特に載置面を構成する部材が金属である場合には、通信の信頼性は大幅に低下し得る。
【００５５】
これに対して、バッテリパック１では、アンテナ５１は非設置領域以外の領域に位置している。図１の例では、アンテナ５１はハウジング２の側壁部２ｂに位置している。これによれば、アンテナ５１がバッテリ３および載置面によって挟まれておらず、通信上の障害が少ない。よって、通信の信頼性が低下する可能性を低減できる。
【００５６】
なお、アンテナ５１は上下方向において下壁部２ｃよりも上壁部２ａに近い位置に設けられてもよい。これによれば、アンテナ５１を載置面から遠ざけることができるので、通信の信頼性が低下する可能性をさらに低減できる。また、アンテナ５１は、ハウジング２の上壁部２ａに設けられても構わない。これによれば、アンテナ５１を載置面からさらに遠ざけることができるので、通信の信頼性が低下する可能性をさらに低減することができる。例えば、アンテナ５１が領域Ｒ２または上壁部２ａに位置していれば、アンテナ５１を載置面から効果的に遠ざけることができるので、通信の信頼性が低下する可能性をさらに低減できる。
【００５７】
アンテナ５１は図１に例示するように、ハウジング２の角部に位置していてもよい。図１の例では、ハウジング２は略直方体の外形形状を有しているので、側壁部２ｂは略矩形の筒形状を有している。言い換えれば、側壁部２ｂは複数（ここでは４つの）の部分壁部２ｂ１を有している。部分壁部２ｂ１は板状の形状を有しており、各部分壁部２ｂ１は、上壁部２ａの周縁の一辺と、下壁部２ｃの周縁の一辺とに連結される。また複数の部分壁部２ｂ１のうち隣り合う二者も相互に連結される。その部分壁部２ｂ１同士の連結部は角部を形成する。アンテナ５１はこの側壁部２ｂの角部（部分壁部２ｂ１同士の連結部）に位置してもよい。具体的には、図１の例では、アンテナ５１は側壁部２ｂの前方かつ右側の角部に位置している。これによれば、アンテナ５１よりも前方の空間、および、アンテナ５１よりも右側の空間において、バッテリパック１の構成要素が占める割合は非常に小さい。したがって、通信上の障害物がさらに少なく、通信の信頼性を向上することができる。
【００５８】
図１および図２の例では、平面視における上壁部２ａの周縁および下壁部２ｃの周縁は略矩形形状を有しているものの、多角形状を有していてもよい。この多角形をＮ（Ｎは３以上の整数）角形と呼ぶと、側壁部２ｂはＮ個の部分壁部２ｂ１を含む。このＮ個の部分壁部２ｂ１同士の連結部も角部を形成するので、アンテナ５１は当該角部に位置していてもよい。これによっても、通信の信頼性を向上することができる。
【００５９】
またアンテナ５１は、上壁部２ａと側壁部２ｂとの連結部（角部）に位置していてもよい。これによっても、通信の信頼性を向上することができる。
【００６０】
第２の実施の形態．
第２の実施の形態にかかるバッテリパック１Ａはバッテリパック１と同様の構成を有している。ただし、バッテリパック１Ａは電動工具本体８とも無線通信することが可能である。図８は、電動工具１００Ａの電気的な構成の一例を概略的に示す機能ブロック図である。電動工具１００Ａはバッテリパック１Ａと電動工具本体８とを含んでいる。図８に例示するように、バッテリパック１Ａはバッテリパック１と比較して通信回路５０Ａをさらに含む。通信回路５０Ａは電動工具本体８と通信することが可能である。
【００６１】
図８に例示するように、通信回路５０Ａはアンテナ５１Ａと信号処理回路５２Ａとを含んでいてもよい。信号処理回路５２Ａはアンテナ５１Ａに接続されている。信号処理回路５２Ａは信号処理回路５２と同様の構成を有しており、電動工具本体８に設けられた通信回路８１と、アンテナ５１Ａを介して通信を行うことが可能である。図８に例示するように、アンテナ５１Ａおよび信号処理回路５２Ａは通信基板５とは別の通信基板５Ａの上に実装されていてもよい。
【００６２】
通信回路５０Ａは、少なくとも１種類の無線通信規格（通信方式）に準拠して、電動工具本体８と無線通信することが可能である。通信回路５０Ａが準拠する無線通信規格としては、上述した通信回路５０が準拠する無線通信規格を適用できる。
【００６３】
通信回路５０Ａは通信回路５０の無線通信規格とは異なる無線通信規格に準拠してもよい。例えば、通信回路５０Ａは、通信回路５０の通信範囲よりも短い通信範囲を有する無線通信規格に準拠してもよい。なぜなら、バッテリパック１が電動工具本体８と装着された状態において、通信回路５０Ａと通信回路８１との間の距離は短いからである。通信回路５０および通信回路５０Ａの無線通信規格が互いに相違していれば、両通信の相互の影響を低減できる。よって、通信回路５０および通信回路５０Ａの各々の通信の信頼性を向上できる。
【００６４】
制御回路６０は信号処理回路５２および信号処理回路５２Ａと接続されている。例えば制御回路６０は外部機器への送信データおよび電動工具本体８への送信データを、それぞれ信号処理回路５２および信号処理回路５２Ａに出力することが可能である。また、例えば制御回路６０には、外部機器からの受信データおよび電動工具本体８からの受信データがそれぞれ信号処理回路５２および信号処理回路５２Ａから入力される。
【００６５】
電動工具本体８は通信回路８１と制御回路８２と駆動回路８３とを含んでいる。通信回路８１はバッテリパック１の通信回路５０Ａと無線通信することが可能である。通信回路８１は通信回路５０Ａと同様の構成を有している。
【００６６】
駆動回路８３は工具８ｂを駆動するための回路である。例えば駆動回路８３はモータとインバータとを含む。モータは工具８ｂを駆動する。インバータは可変の周波数および可変の振幅で交流電圧をモータに出力する。モータは、入力された交流電圧に応じた回転速度で回転する。
【００６７】
制御回路８２は電動工具本体８を統括的に制御することが可能である。制御回路８２は通信回路８１に送信データを出力し、通信回路８１から受信データを受け取る。また制御回路８２は駆動回路８３を制御することが可能である。制御回路８２の構成は制御回路６０の構成と同様である。
【００６８】
電動工具本体８とバッテリパック１との間で通信する通信データとしては、例えば、電動工具本体８を識別する識別データを例示できる。識別データは、電動工具の種類を識別する種類識別データおよび/または電動工具ごとに予め固有に定められた固有識別データを含む。この識別データは予め設定されて、例えば制御回路８２の記憶媒体に記録される。また、電動工具本体８の内部において、バッテリ３を流れる電流を検出する電流センサが設けられる場合がある。この場合、電流センサによって検出された電流を示す電流データを、通信データとして採用してもよい。制御回路６０は電動工具本体８から受信した各種データをメモリ６２に記憶してもよい。
【００６９】
図９は、バッテリパック１Ａの概略的な外観の一例を示す斜視図である。アンテナ５１Ａは上壁部２ａ、側壁部２ｂおよび下壁部２ｃのいずれかに位置していてもよく、ハウジング２の内部空間に位置していてもよい。図９の例では、アンテナ５１Ａはハウジング２の上壁部２ａに位置している。つまり、アンテナ５１Ａは上壁部２ａの外周面の上に位置してもよいし、上壁部２ａの内周面の上に位置していてもよいし、上壁部２ａの内部に埋め込まれてもよい。アンテナ５１Ａが上壁部２ａの外周面の上に位置する場合には、絶縁性の保護部材がアンテナ５１Ａを覆っていてもよい。あるいは、アンテナ５１Ａはハウジング２の上壁部２ａとバッテリ３との間の領域Ｒ１内において、上壁部２ａから離れていてもよい。
【００７０】
バッテリ３との位置関係でいえば、アンテナ５１Ａはバッテリ３に対して上側（コネクタ部４０側）に位置してもよい。アンテナ５１Ａがバッテリ３に対してコネクタ部４０側に位置すれば、アンテナ５１Ａと電動工具本体８の通信回路８１との間の距離を短くすることができる。これにより、通信回路５０Ａの通信の信頼性を向上することができる。
【００７１】
これに対して、アンテナ５１は図９に例示するように、ハウジング２の側壁部２ｂに位置していてもよい。より具体的には、側壁部２ｂは４つの部分壁部２ｂ１を有しているところ、その４つの部分壁部２ｂ１のうちアンテナ５１Ａに最も近い部分壁部２ｂ１以外の部分壁部２ｂ１側に、アンテナ５１が位置していてもよい。これによれば、アンテナ５１とアンテナ５１Ａとの間の距離を長くすることができ、電波干渉等の影響を低減することができる。ひいては、通信回路５０および通信回路５０Ａの各々の通信の信頼性を向上することができる。
【００７２】
なお、アンテナ５１はハウジング２の側壁部２ｂとバッテリ３との間の領域Ｒ１において、側壁部２ｂと離れて位置していてもよい。
【００７３】
なお、アンテナ５１Ａは、アンテナ５１が位置する壁部（部分壁部を含む）とは異なる壁部に位置しているとよい。これによれば、アンテナ５１Ａとアンテナ５１との間の距離を長くすることができる。
【００７４】
以上のように、電動工具１００Ａにおいては、バッテリパック１Ａは電動工具本体８および外部機器と高い信頼性で通信することができる。以下では、その通信の一例について述べる。
【００７５】
図１０は、電動工具１００Ａの動作の一例を示すフローチャートである。この図１０の処理は、バッテリパック１Ａが電動工具本体８に装着された状態で実行される。
【００７６】
まずステップＳ１にて、バッテリパック１は電動工具本体８の識別データを電動工具本体８から受信する。例えば通信回路５０Ａが、識別データを要求する要求信号を通信回路８１へと送信してもよい。通信回路８１を介して当該要求を受信した制御回路８２は、電動工具本体８の識別データを記録媒体から読み出し、その識別データを、通信回路８１を介して通信回路５０Ａに送信する。制御回路６０は通信回路５０Ａを介して電動工具本体８の識別データを受信する。
【００７７】
次にステップＳ２にて、バッテリ３を流れる電流を検出する。より具体的には、電流センサが、バッテリ３から電動工具本体８に流れる電流を検出する。電流センサは、バッテリパック１Ａに設けられていてもよいし、電動工具本体８に設けられていてもよい。電流センサによって検出された電流値を示す信号は制御回路６０に入力される。
【００７８】
次にステップＳ３にて、制御回路６０は、バッテリ３を流れる電流と、電動工具本体８の識別データに応じた閾値とに基づいて、電動工具本体８の状態を特定する。電動工具本体８の状態としては、例えば、電動工具本体８が工具８ｂを駆動した回数を採用できる。電動工具本体８が工具８ｂを駆動するのに必要な電流は、電動工具本体８の種別に応じて相違する。つまり、電動工具本体８が駆動していると判断すべき電流の閾値は、電動工具本体８の種別に応じて相違する。そこで、電動工具本体８の識別データに応じた閾値が設定される。その閾値は例えば制御回路６０の記憶媒体に記憶される。
【００７９】
制御回路６０は、電動工具本体８から受信した識別データに応じた閾値を記憶媒体から読み出す。次に制御回路６０は、バッテリ３を流れる電流の値が閾値よりも小さい状態から大きい状態へと遷移したか否かを判断する。つまり、制御回路６０はその電流値が閾値を超えた否かを判断する。制御回路６０は電流値が閾値を超えたと判断したときに、駆動回数に１を加算し、駆動回数を示す回数データを識別データに対応付けて記録媒体に記録する。
【００８０】
次にステップＳ４にて、制御回路６０は、電動工具本体８の状態を示す状態データ（ここでは駆動回数に関する情報、例えば回数データ）を、対応する識別データとともに、通信回路５０へ出力する。通信回路５０は状態データおよび識別データを外部機器へと送信する。
【００８１】
これにより、外部機器は電動工具本体８ごとの状態（例えば駆動回数）を管理することができる。
【００８２】
以上のように、制御回路６０は、バッテリ３を流れる電流と、電動工具本体８に応じた閾値とに基づいて、電動工具本体８の状態を特定する。電動工具本体８に応じた閾値を用いているので、より高い精度で電動工具本体８の状態を特定することができる。
【００８３】
なお、制御回路６０は駆動回数を時間で除算することで、単位時間当たりの駆動回数（つまり頻度）を電動工具本体８ごとに算出してもよい。電動工具本体８ごとの状態としてその頻度データを採用してもよい。
【００８４】
制御回路６０は、駆動回数が所定の駆動回数よりも大きいか否かを判断し、駆動回数が所定の駆動回数よりも大きいと判断したときに、その旨を示す信号を状態データの一つとして通信回路５０へと出力してもよい。これにより、外部機器は、駆動回数が所定の駆動回数を超えている電動工具本体８を認識することができる。所定の駆動回数としては、例えば、経年劣化により電動工具本体８が故障する可能性が高くなる駆動回数を採用できる。この回数は例えば実験により求めることができる。
【００８５】
また状態データとして、電動工具本体８の累積駆動時間を採用してもよい。ここでいう累積駆動時間とは、電動工具本体８が駆動および停止を繰り返したときに、その各駆動時間の総和をいう。バッテリ３はタイマーを含む。制御回路６０は、バッテリ３を流れる電流と、タイマーとに基づいて累積駆動時間を算出し、この累積駆動時間を示す駆動時間データを状態データとして通信回路５０に出力する。これにより、外部機器は電動工具本体８ごとの累積駆動時間を管理することができる。制御回路６０は、累積駆動時間が所定の駆動時間（閾値）よりも大きいと判断したときに、その旨を示す信号を通信回路５０へと出力してもよい。これにより、外部機器は、累積駆動時間が所定の駆動時間を超えている電動工具本体８を認識することができる。所定の駆動時間としては、例えば、経年劣化により電動工具本体８が故障する可能性が高くなる累積駆動時間を採用できる。この時間は例えば実験により求めることができる。
【００８６】
図１１は、電動工具１００Ｂの電気的な構成の一例を示す機能ブロック図である。電動工具１００Ｂはバッテリパック１Ｂと電動工具本体８とを含んでいる。バッテリパック１Ｂは通信回路５０Ａの替わりに通信回路５０Ｂを含んでいる。通信回路５０Ｂはコイル５１Ｂと変調復調回路５２Ｂとを含んでいる。コイル５１Ｂはバッテリパック１の上壁部２ａまたはバッテリパック１の上壁部２ａとバッテリ３との間の領域Ｒ２内に位置する。コイル５１Ｂはその中心軸が上下方向に沿う姿勢で配置される。コイル５１Ｂはアンテナの一種である。
【００８７】
電動工具本体８の通信回路８１も通信回路５０Ｂと同様に、コイル８１１と変調復調回路８１２とを含んでいる。コイル８１１は、バッテリパック１が電動工具本体８に装着された状態で、コイル５１Ｂと上下方向で向かい合ように、電動工具本体８内に位置する。コイル８１１はその中心軸がコイル５１Ｂの中心軸と略一致する姿勢で配置される。コイル５１Ｂおよびコイル８１１の一方に交流電圧を印加すると、電磁誘導により、他方のコイルにも交流電圧が生じる。
【００８８】
変調復調回路５２Ｂは、制御回路６０から入力された送信データに対して変調処理を行って得られた交流電圧をコイル５１Ｂに出力する。これにより、コイル５１Ｂは磁束を発生させる。当該磁束はコイル８１１に鎖交し、コイル８１１に誘導起電力を発生させる。変調復調回路８１２はコイル８１１の交流電圧に対して復調処理を行って送信データを復調する。変調復調回路８１２は、復調した送信データを制御回路８２に出力する。これにより、バッテリパック１から電動工具本体８へと送信データを送信することができる。
【００８９】
変調復調回路８１２は、制御回路８２から入力された送信データに対して変調処理を行って得られた交流電圧をコイル８１１に出力する。これにより、通信回路５０Ｂのコイル５１Ｂにも交流電圧が生じる。変調復調回路５２Ｂはこの交流電圧に対して復調処理を行って送信データを復調する。変調復調回路５２Ｂは、復調した送信データを制御回路６０に出力する。これにより、電動工具本体８からバッテリパック１へと送信データを送信することができる。
【００９０】
このバッテリパック１Ｂによれば、通信回路５０Ｂの通信方式（電磁結合方式）は通信回路５０（電波方式）と相違する。よって、同じ通信方式を採用する場合に比べて両通信の相互の影響を低減することができる。ひいては、通信回路５０および通信回路５０Ｂの各々の通信の信頼性を向上することができる。
【００９１】
またバッテリパック１Ｂにおいても、アンテナ５１はハウジング２の側壁部２ｂまたは側壁部２ｂとバッテリ３との間の領域Ｒ１内に位置していてもよい。具体的には、アンテナ５１は側壁部２ｂのうちコイル５１Ｂに最も近い側面部以外の側面部側に位置していてもよい。これによれば、アンテナ５１とコイル５１Ｂとの間の距離を長くすることができ、電磁波の干渉等の影響を低減することができる。ひいては、通信回路５０および通信回路５０Ｂの各々の通信の信頼性を向上することができる。
【００９２】
なお、バッテリパック１と電動工具本体８との間の通信で採用される通信方式は、電磁結合方式または電波方式に限らない。例えば赤外線通信を採用してもよい。この場合、通信回路は、赤外線を出力する赤外線光源と、赤外線を受光する受光器とを含む。また、必ずしも無線通信を採用する必要はなく、有線通信を採用してもよい。例えば、バッテリ３の給電経路を利用した電力線搬送通信を採用してもよい。
【００９３】
図１に例示するように、バッテリパック１は報知部９を含んでいても。報知部９は制御回路６０によって制御される。報知部９は、バッテリパック１と外部機器との通信が可能か否かを外部（例えば作業員）に報知することができる。例えば報知部９は、音を出力するスピーカ、または、光を発光する発光体（例えばＬＥＤ（Light Emitting Diode））を含む。図１の例では、報知部９はハウジング２の側壁部２ｂに位置している。当該位置はバッテリパック１が電動工具本体８またはその他の形状の異なる各種電動工具本体に装着された場合でも、電動工具本体によって覆われない。よって、報知部９が発光体である場合には、光を周囲に届けやすく、また報知部９がスピーカである場合には、音を周囲に届けやすい。
【００９４】
図１の例では、報知部９は、バッテリパック１の前方側の部分壁部２ｂ１に位置しているものの、必ずしもこれに限らない。別の例として、報知部９はバッテリパック１の後方側の部分壁部２ｂ１に位置していてもよい。後方側の部分壁部２ｂ１はバッテリパック１が各種電動工具本体に装着された場合であっても各種電動工具本体によって覆われない。なぜなら、作業員は、バッテリパック１を電動工具本体に対して前方へスライドさせて、バッテリパック１を電動工具本体に装着させるからである。よって、通常、バッテリパック１の後方側の部分壁部２ｂ１は電動工具本体によって覆われずに電動工具本体から露出する。そのため、報知部９が発光体である場合には、光を周囲に届けやすく、また報知部９がスピーカである場合には、音を周囲に届けやすい。
【００９５】
制御回路６０は、通信回路５０と外部機器との間の通信が可能かどうかを判断することができる。例えば制御回路６０は、外部機器からの応答を要求する要求信号を、通信回路５０を介して外部機器へと送信する。制御回路６０は、当該要求信号の送信から所定期間内に通信回路５０が外部機器から信号を受信しないときに、通信回路５０と外部機器との間の通信が不可能であると判断する。制御回路６０は、通信が不可能であると判断したときに、その旨を報知部９に報知させる。これにより、作業員は、バッテリパック１と外部機器との間で通信ができないことを了知できる。
【００９６】
報知部９は、バッテリパック１と電動工具本体８との間の通信が可能か否かを作業員に報知してもよい。制御回路６０は、通信回路５０Ａまたは通信回路５０Ｂと通信回路８１との間の通信が可能かどうかを判断することができる。例えば制御回路６０は、電動工具本体８からの応答を要求する要求信号を、通信回路５０Ａまたは通信回路５０Ｂを介して通信回路８１へと送信する。制御回路６０は、当該要求信号の送信から所定期間内に通信回路５０が電動工具本体８から信号を受信しないときに、通信回路５０と電動工具本体８との間の通信が不可能であると判断する。制御回路６０は、当該通信が不可能であると判断したときに、その旨を報知部９に報知させる。これにより、作業員は、バッテリパック１と電動工具本体８との間で通信ができないことを了知できる。
【００９７】
報知部９が発光体を含む場合には、通信回路５０と外部機器との通信可否を示す第１発光体と、通信回路５０と電動工具本体８との通信可否を示す第２発光体とを含んでいてもよい。つまり、バッテリパック１は、外部機器についての通信の可否を報知する専用の発光体（報知部）と、電動工具本体８についての通信の回避を報知する専用の発光体（報知部）とを含んでいてもよい。あるいは、報知部９は単一の発光体を有していてもよい。報知部９は発光体の点滅パターンおよび発光体の色の少なくともいずれか一方により、通信回路５０と外部機器との通信可否、および、通信回路５０と電動工具本体８との通信可否を報知することができる。もちろん、報知部９がスピーカを含んでいる場合にも、外部機器および電動工具本体８のそれぞれに専用のスピーカが設けられてもよく、あるいは、一方にのみスピーカが設けられてもよい。
【００９８】
図３に例示するように、電動工具本体８は報知部９１を含んでいてもよい。報知部９１は、バッテリパック１と電動工具本体８との間の通信が可能か否かを外部（例えば作業員）に報知することができる。報知部９１は電動工具本体８のハウジングのうち、バッテリ取付面８ａ以外の面に設けられ得る。図３に例示するように、報知部９１は、電動工具本体８のハウジングのうち作業員によって把持される把持部８ｃの下方のバッテリパック１が取り付けられる部材の一部に設けられてもよい。
【００９９】
制御回路８２は、通信回路５０Ａまたは通信回路５０Ｂと通信回路８１との間の通信が可能かどうかを判断することができる。例えば制御回路８２は、バッテリパック１からの応答を要求する要求信号を、通信回路８１を介して通信回路５０、通信回路５０Ａまたは通信回路５０Ｂへと送信する。制御回路８２は、当該要求信号の送信から所定期間内に通信回路８１がバッテリパック１から信号を受信しないときに、バッテリパック１と電動工具本体８との間の通信が不可能であると判断する。制御回路８２は、当該通信が不可能であると判断したときに、その旨を報知部９１に報知させる。これにより、作業員は、バッテリパック１と電動工具本体８との間で通信ができないことを了知できる。
【０１００】
以上のように、バッテリパックおよび電動工具は詳細に説明されたが、上記した説明は、全ての局面において例示であって、この開示がそれに限定されるものではない。また、上述した実施の形態および各種変形例は、相互に矛盾しない限り組み合わせて適用可能である。そして、例示されていない多数の変形例が、この開示の範囲から外れることなく想定され得るものと解される。
【符号の説明】
【０１０１】
１，１Ａ，１Ｂ  バッテリパック
２  ハウジング
２ａ  第１壁部（上壁部）
２ｂ  第３壁部（側壁部）
２ｃ  第２壁部（下壁部）
３  バッテリ
８  電動工具本体
４０  コネクタ部
５０  第１通信回路（通信回路）
５０Ａ，５０Ｂ  第２通信回路（通信回路）
５１  第１アンテナ（アンテナ）
５１Ａ  第２アンテナ（アンテナ）
５１Ｂ  コイル
６０  制御回路
１００，１００Ａ，１００Ｂ  電動工具
【図１】
2020174673.tif 000003
【図２】
2020174673.tif 000004
【図３】
2020174673.tif 000005
【図４】
2020174673.tif 000006
【図５】
2020174673.tif 000007
【図６】
2020174673.tif 000008
【図７】
2020174673.tif 000009
【図８】
2020174673.tif 000010
【図９】
2020174673.tif 000011
【図１０】
2020174673.tif 000012
【図１１】
2020174673.tif 000013
【国際調査報告】
2020174673.tif 000014
2020174673.tif 000015
2020174673.tif 000016
2020174673.tif 000017